(57)【要約】【課題】商品とともに撮影するモデルの選定を補助する撮影管理システムを提供する。  【解決手段】撮影管理サーバが、各モデルのモデル個人情報をモデルＩＤと対応付け、各商品についての商品特徴情報を商品ＩＤと対応付け、各撮影の撮影画像の画像評価を含む撮影詳細情報を撮影ＩＤ、商品ＩＤ及びモデルＩＤと対応付けて撮影データベースに登録し、撮影画像をファイルとして登録し、各モデルについての数値評価を含む満足度情報をモデルＩＤ、撮影ＩＤ及び商品ＩＤと対応付けて登録し、モデルリコメンド情報の要求を受信したことに応じて、撮影ＩＤに対応する商品ＩＤを取得し、各モデルＩＤ毎に、商品ＩＤに対応する全ての数値評価の平均値を算出して各モデルＩＤの評価ポイントとし、上位のモデルＩＤ及び取得した商品ＩＤに基づいて対応するモデル個人情報、画像評価及び撮影画像を取得して端末装置に送信する。【選択図】図１
2012198840.tif 000002
【特許請求の範囲】
【請求項１】
商品とともに撮影するモデルの選定を補助するべく端末装置と通信する撮影管理サーバを備えた撮影管理システムであって、前記撮影管理サーバが、
各モデルのモデル個人情報を前記端末装置から受信してモデルＩＤと対応付けて撮影データベースに登録し、各商品についての複数の商品特徴情報を前記端末装置から受信して商品ＩＤと対応付けて撮影データベースに登録し、各撮影の撮影画像の画像評価を含む撮影詳細情報を前記端末装置から受信して撮影ＩＤ並びに撮影する商品及びモデルの前記商品ＩＤ及び前記モデルＩＤと対応付けて撮影データベースに登録するとともに、前記撮影画像をファイルとして登録する手段と、
各モデルについての数値で示された評価を含む満足度情報を前記端末装置から受信する毎に、前記モデルＩＤ、前記撮影ＩＤ及び前記商品ＩＤと対応付けて前記撮影データベースに登録する手段と、
商品とともに撮影するモデルを選定する際に対象とする撮影の撮影ＩＤとともにモデルリコメンド情報の要求を前記端末装置から受信したことに応じて、前記撮影データベースから、受信した前記撮影ＩＤに対応する商品ＩＤを取得し、各モデルＩＤ毎に、取得した前記商品ＩＤに対応する全ての前記数値で示された評価の平均値を算出して各モデルＩＤの評価ポイントとする手段と、
算出した前記評価ポイントが上位である１又は複数の上位のモデルＩＤ及び取得した前記商品ＩＤに基づいて前記撮影データベースから、対応する前記モデル個人情報、前記画像評価及び前記撮影画像を取得する手段と、
取得した前記モデル個人情報、前記画像評価及び前記撮影画像並びに算出した前記評価ポイントを前記端末装置に送信する手段と、を備えたことを特徴とする
モデル選定補助のための撮影管理システム。
【請求項２】
前記撮影管理サーバが、
対象商品の商品ＩＤ及び対象モデルのモデルＩＤとともに前記対象商品についての前記対象モデルの評価及び撮影履歴情報の要求を前記端末装置から受信したことに応じて、前記対象商品の商品ＩＤに基づいて前記撮影データベースを参照することにより、前記対象商品の商品ＩＤに対応する前記複数の商品特徴情報と全ての商品ＩＤの各々に対応する前記複数の商品特徴情報とが所定の項目数以上一致するか否かを判断し、所定の項目数以上一致する商品ＩＤを、前記対象商品についての類似商品の商品ＩＤとして判定する手段と、
決定された前記類似商品の商品ＩＤ及び前記対象モデルのモデルＩＤに基づいて前記撮影データベースから、前記対象モデルの過去の撮影履歴における全ての対応する類似商品の前記満足度情報及び前記撮影画像を取得する手段と、
取得した類似商品の前記満足度情報及び前記撮影画像を前記端末装置に送信する手段と、を備えたことを特徴とする請求項１に記載のモデル選定補助のための撮影管理システム。
【請求項３】
端末装置と通信する撮影管理サーバを用いて、商品とともに撮影するモデルの選定を補助する撮影管理方法であって、前記撮影管理サーバが、
各モデルのモデル個人情報を前記端末装置から受信してモデルＩＤと対応付けて撮影データベースに登録し、各商品についての複数の商品特徴情報を前記端末装置から受信して商品ＩＤと対応付けて撮影データベースに登録し、各撮影の撮影画像の画像評価を含む撮影詳細情報を前記端末装置から受信して撮影ＩＤ並びに撮影する商品及びモデルの前記商品ＩＤ及び前記モデルＩＤと対応付けて撮影データベースに登録するとともに、前記撮影画像をファイルとして登録するステップと、
各モデルについての数値で示された評価を含む満足度情報を前記端末装置から受信する毎に、前記モデルＩＤ、前記撮影ＩＤ及び前記商品ＩＤと対応付けて前記撮影データベースに登録するステップと、
商品とともに撮影するモデルを選定する際に対象とする撮影の撮影ＩＤとともにモデルリコメンド情報の要求を前記端末装置から受信したことに応じて、前記撮影データベースから、受信した前記撮影ＩＤに対応する商品ＩＤを取得し、各モデルＩＤ毎に、取得した前記商品ＩＤに対応する全ての前記数値で示された評価の平均値を算出して各モデルＩＤの評価ポイントとするステップと、
算出した前記評価ポイントが上位である１又は複数の上位のモデルＩＤ及び取得した前記商品ＩＤに基づいて前記撮影データベースから、対応する前記モデル個人情報、前記画像評価及び前記撮影画像を取得するステップと、
取得した前記モデル個人情報、前記画像評価及び前記撮影画像並びに算出した前記評価ポイントを前記端末装置に送信するステップと、を備えたことを特徴とする
モデル選定補助のための撮影管理方法。
【請求項４】
前記撮影管理サーバが、
対象商品の商品ＩＤ及び対象モデルのモデルＩＤとともに前記対象商品についての前記対象モデルの評価及び撮影履歴情報の要求を前記端末装置から受信したことに応じて、前記対象商品の商品ＩＤに基づいて前記撮影データベースを参照することにより、前記対象商品の商品ＩＤに対応する前記複数の商品特徴情報と全ての商品ＩＤの各々に対応する前記複数の商品特徴情報とが所定の項目数以上一致するか否かを判断し、所定の項目数以上一致する商品ＩＤを、前記対象商品についての類似商品の商品ＩＤとして判定するステップと、
決定された前記類似商品の商品ＩＤ及び前記対象モデルのモデルＩＤに基づいて前記撮影データベースから、前記対象モデルの過去の撮影履歴における全ての対応する類似商品の前記満足度情報及び前記撮影画像を取得するステップと、
取得した類似商品の前記満足度情報及び前記撮影画像を前記端末装置に送信するステップと、を備えたことを特徴とする請求項３に記載のモデル選定補助のための撮影管理方法。
【発明の詳細な説明】
【技術分野】
【０００１】
本発明は、撮影業務において被写体となるモデル毎に、モデルの画像データ及びその評価の情報を商品の情報と関連付けることにより、モデルの選定を効率よく行うことを補助する、撮影管理システム及び方法に関する。
【背景技術】
【０００２】
従来、複数の店舗を有する大型スーパー等のチラシを作成するといった商品の広告宣伝用の撮影業務において、膨大な量の画像データを取り扱う場合がある。その場合、商品を撮影する際には、予め商品の撮影条件等の各種指示を決定した後、決定された撮影条件等に基づき、商品を順次撮影して複数の画像データを生成することとなる。
【０００３】
特許文献１に開示された撮影業務管理システムでは、デジタルカメラ等（撮影機器）を用いて撮影し、画像処理ソフトウェアを使用して加工した画像データに対し、撮影条件を示すテキストデータに基づくキーワードを累積付与した画像ファイル名を付与することで、画像データとその撮影条件を関連付け、それにより膨大な量の画像データを正確かつ効率的に管理、収集し、かつ、画像データに対するランク付け(料金設定)を行っていた。
【先行技術文献】
【特許文献】
【０００４】
【特許文献１】特許公開２００９−１２９１７７号公報
【発明の概要】
【発明が解決しようとする課題】
【０００５】
しかし、特許文献１の撮影業務管理システムでは、既に撮影又は加工された画像データに対する評価(ランク付け)は行うが、撮影までのプロセスに対する評価は一切行っていない。特に、撮影画像に対するイメージの大部分となりうる、モデルの選定及び評価を行っておらず、将来行われる撮影へのフィードバックがなされていない。そのため、広告宣伝用の膨大な量の画像データを取り扱う撮影業務においては、顧客の要求に沿ったモデルの選定は撮影担当者又はスタイリストの能力に大きく依存することとなる。その結果、撮影担当者又はスタイリストの能力によっては、顧客が満足しない画像データを生成してしまい、苦労して撮影した画像データを破棄しなければならなくなり、余計なコストが掛かってしまうおそれがある。
【０００６】
このような問題は、顧客と撮影担当者が密な撮影打合せを行うことで回避することが可能である。
【０００７】
しかし、従来の技術では、撮影打合せのベースとなる資料や情報を提供する手段が明確に存在しないため、撮影担当者が顧客へ撮影画像に対するイメージをうまく伝達することができず、顧客と撮影担当者との意思疎通が不明瞭なままとなり、顧客の要求に合わない撮影をしてしまうおそれがある。また、過去の撮影履歴とモデル情報を関連付ける手段が無いため、経験の浅い撮影担当者には分からない、モデルの撮影時の態度や姿勢など、既に撮影された画像からは見えない情報を得ることができず、撮影時に問題が発生し作業に遅延などが発生してしまうことがある。
【０００８】
本発明の目的は、撮影画像に対するイメージの大部分となりうるモデルの選定を補助し、モデルの選定業務における撮影担当者への依存度を小さくするため、過去の撮影履歴に基づいて商品のイメージに合うモデルを自動的に選択すなわちリコメンドするとともに、そのモデルに対する過去の撮影時の評価に基づいてモデルの長所及び短所を撮影担当者に提示することである。
【課題を解決するための手段】
【０００９】
上記目的を達成するために、本発明は以下の構成を提供する。
本発明によるモデル選定補助のための撮影管理システムは、商品とともに撮影するモデルの選定を補助するべく端末装置と通信する撮影管理サーバを備えた撮影管理システムであって、前記撮影管理サーバが、各モデルのモデル個人情報を前記端末装置から受信してモデルＩＤと対応付けて撮影データベースに登録し、各商品についての複数の商品特徴情報を前記端末装置から受信して商品ＩＤと対応付けて撮影データベースに登録し、各撮影の撮影画像の画像評価を含む撮影詳細情報を前記端末装置から受信して撮影ＩＤ並びに撮影する商品及びモデルの前記商品ＩＤ及び前記モデルＩＤと対応付けて撮影データベースに登録するとともに、前記撮影画像をファイルとして登録する手段と、各モデルについての数値で示された評価を含む満足度情報を前記端末装置から受信する毎に、前記モデルＩＤ、前記撮影ＩＤ及び前記商品ＩＤと対応付けて前記撮影データベースに登録する手段と、商品とともに撮影するモデルを選定する際に対象とする撮影の撮影ＩＤとともにモデルリコメンド情報の要求を前記端末装置から受信したことに応じて、前記撮影データベースから、受信した前記撮影ＩＤに対応する商品ＩＤを取得し、各モデルＩＤ毎に、取得した前記商品ＩＤに対応する全ての前記数値で示された評価の平均値を算出して各モデルＩＤの評価ポイントとする手段と、算出した前記評価ポイントが上位である１又は複数の上位のモデルＩＤ及び取得した前記商品ＩＤに基づいて前記撮影データベースから、対応する前記モデル個人情報、前記画像評価及び前記撮影画像を取得する手段と、取得した前記モデル個人情報、前記画像評価及び前記撮影画像並びに算出した前記評価ポイントを前記端末装置に送信する手段と、を備えたことを特徴とする。
【００１０】
上記の撮影管理システムにおいて、好適には、前記撮影管理サーバが、対象商品の商品ＩＤ及び対象モデルのモデルＩＤとともに前記対象商品についての前記対象モデルの評価及び撮影履歴情報の要求を前記端末装置から受信したことに応じて、前記対象商品の商品ＩＤに基づいて前記撮影データベースを参照することにより、前記対象商品の商品ＩＤに対応する前記複数の商品特徴情報と全ての商品ＩＤの各々に対応する前記複数の商品特徴情報とが所定の項目数以上一致するか否かを判断し、所定の項目数以上一致する商品ＩＤを、前記対象商品についての類似商品の商品ＩＤとして判定する手段と、決定された前記類似商品の商品ＩＤ及び前記対象モデルのモデルＩＤに基づいて前記撮影データベースから、前記対象モデルの過去の撮影履歴における全ての対応する類似商品の前記満足度情報及び前記撮影画像を取得する手段と、取得した類似商品の前記満足度情報及び前記撮影画像を前記端末装置に送信する手段と、を備えている。
【００１１】
本発明によるモデル選定補助のための撮影管理方法は、端末装置と通信する撮影管理サーバを用いて、商品とともに撮影するモデルの選定を補助する撮影管理方法であって、前記撮影管理サーバが、各モデルのモデル個人情報を前記端末装置から受信してモデルＩＤと対応付けて撮影データベースに登録し、各商品についての複数の商品特徴情報を前記端末装置から受信して商品ＩＤと対応付けて撮影データベースに登録し、各撮影の撮影画像の画像評価を含む撮影詳細情報を前記端末装置から受信して撮影ＩＤ並びに撮影する商品及びモデルの前記商品ＩＤ及び前記モデルＩＤと対応付けて撮影データベースに登録するとともに、前記撮影画像をファイルとして登録するステップと、各モデルについての数値で示された評価を含む満足度情報を前記端末装置から受信する毎に、前記モデルＩＤ、前記撮影ＩＤ及び前記商品ＩＤと対応付けて前記撮影データベースに登録するステップと、商品とともに撮影するモデルを選定する際に対象とする撮影の撮影ＩＤとともにモデルリコメンド情報の要求を前記端末装置から受信したことに応じて、前記撮影データベースから、受信した前記撮影ＩＤに対応する商品ＩＤを取得し、各モデルＩＤ毎に、取得した前記商品ＩＤに対応する全ての前記数値で示された評価の平均値を算出して各モデルＩＤの評価ポイントとするステップと、算出した前記評価ポイントが上位である１又は複数の上位のモデルＩＤ及び取得した前記商品ＩＤに基づいて前記撮影データベースから、対応する前記モデル個人情報、前記画像評価及び前記撮影画像を取得するステップと、取得した前記モデル個人情報、前記画像評価及び前記撮影画像並びに算出した前記評価ポイントを前記端末装置に送信するステップと、を備えたことを特徴とする。
【００１２】
上記の撮影管理方法において、好適には、前記撮影管理サーバが、対象商品の商品ＩＤ及び対象モデルのモデルＩＤとともに前記対象商品についての前記対象モデルの評価及び撮影履歴情報の要求を前記端末装置から受信したことに応じて、前記対象商品の商品ＩＤに基づいて前記撮影データベースを参照することにより、前記対象商品の商品ＩＤに対応する前記複数の商品特徴情報と全ての商品ＩＤの各々に対応する前記複数の商品特徴情報とが所定の項目数以上一致するか否かを判断し、所定の項目数以上一致する商品ＩＤを、前記対象商品についての類似商品の商品ＩＤとして判定するステップと、決定された前記類似商品の商品ＩＤ及び前記対象モデルのモデルＩＤに基づいて前記撮影データベースから、前記対象モデルの過去の撮影履歴における全ての対応する類似商品の前記満足度情報及び前記撮影画像を取得するステップと、取得した類似商品の前記満足度情報及び前記撮影画像を前記端末装置に送信するステップと、を備えている。
【発明の効果】
【００１３】
以上のように、本発明であるモデルの選定を補助する撮影管理システムによれば、次のような効果がある。
撮影画像に対するイメージの大部分となりうるモデルの選定を補助し、モデルの選定業務への撮影業務担当者又はモデル選定担当者に対する依存度を小さくするため、過去の撮影履歴を基に撮影する商品のイメージに合うモデルを自動的にリコメンドし、かつそのモデルの撮影時に生じた、モデルの長所、短所を撮影担当者に提示することができる。
【図面の簡単な説明】
【００１４】
【図１】本発明によるモデル選択補助のための撮影管理システムの概略的なシステム構成図である。
【図２】撮影データベースに登録されたモデル、商品、撮影及び評価に関する各情報を格納するための各テーブルの実施例を示している。
【図３】モデル情報を登録する処理フローを示すシーケンス図である。
【図４】撮影情報及び満足度情報を登録する処理フローを示すシーケンス図である。
【図５】モデルをリコメンドする処理フローを示すシーケンス図である。
【図６】対象モデルの評価と撮影履歴情報を表示する処理フローを示すシーケンス図である。
【図７】図５のモデルをリコメンドするシーケンス図又は図６の対象モデルの評価と撮影履歴情報を表示するシーケンス図において撮影管理サーバが実施する、モデルの評価ポイントを取得する処理のフローチャートである。
【図８】図６の対象モデルの評価と撮影履歴情報を表示するシーケンス図において撮影管理サーバが実施する、類似商品を求める処理のフローチャートである。
【図９】図６の特定のモデルの評価と撮影履歴情報を表示するシーケンス図において撮影管理サーバが実施する、類似商品のモデル撮影画像の取得処理のフローチャートである。
【図１０】図４のモデルの撮影情報及び満足度情報を登録する処理フローを示すシーケンス図における、撮影評価の入力において、撮影業務管理アプリケーション又はモデル管理アプリケーション上で満足度情報を入力する画面の具体例を説明する図である。
【図１１】本システムによってリコメンドされたモデルを表示する画面の具体例を説明する図である。
【図１２】図１１の画面で一人のモデルを選択し、モデル評価ボタンを押下したときに表示する、モデルの評価と撮影履歴情報を表示する画面の具体例を説明する図である。
【発明を実施するための形態】
【００１５】
以下、本発明の実施形態を、実施例を示した図面を用いて詳細に説明する。
図１は、本発明によるモデル選択補助のための撮影管理システムの概略的なシステム構成図である。本システムは、撮影管理サーバ１０３と、端末装置であるクライアント装置１０１及び複数の移動端末１０５とから構成されている。これらのサーバ及び端末装置の各々は、ＣＰＵを備えたコンピュータとしての機能を有し、本発明の機能を実現する所定のアプリケーションをインストールされている。ＣＰＵが所定のアプリケーションを実行することにより本発明におけるそれぞれの機能を実現する。
【００１６】
移動端末１０５は、無線回線により基地局１１０と接続されている。さらに、移動端末１０５は、打合せの際に出席者が容易に画面を参照でき、片手で持ち運び可能な程度のサイズであり、かつ端末の所持者が片手で操作できるタッチパネル式の画面であることが好適である。基地局１１０は、有線の公衆回線網によるネットワーク１０９と接続され、このネットワーク１０９に撮影管理サーバ１０３が接続されている。よって、移動端末１０５は、ネットワーク１０９を介して撮影管理サーバ１０３と相互に通信可能である。
【００１７】
移動端末１０５には、モデル管理アプリケーション１０６がインストールされている。モデル管理アプリケーション１０６は、撮影管理サーバ１０３経由で撮影データベース１０４にアクセスする送受信部１１１、各種情報をユーザに提示する表示部１０７、ユーザからの入力を受け付ける入力部１０８、満足度情報を登録するモデル評価登録処理部１１２、及び、撮影データベース１０４上の満足度情報に基づきモデルのリコメンド処理を行うモデル選定処理部１１３を備えている。
【００１８】
クライアント装置１０１は固定端末であり、ネットワーク１０９と接続され、ネットワーク１０９を介して撮影管理サーバ１０３と相互に通信可能である。クライアント装置１０１には、撮影業務管理アプリケーション１０２がインストールされている。撮影業務管理アプリケーション１０２は、ユーザからの入力を受け付ける入力部１１４を備えている。
【００１９】
なお、図示の実施例では、固定端末であるクライアント装置１０１に撮影業務管理アプリケーション１０２がインストールされ、一方、移動端末１０５にモデル管理アプリケーション１０６がインストールされている。以下では、この好適な実施例に基づいて本発明を説明するが、一般的には、いずれのタイプの端末装置に、いずれのタイプのアプリケーションがインストールされていてもよい。また、いずれかのタイプの端末装置に、双方のアプリケーションがインストールされていてもよい。
【００２０】
撮影管理サーバ１０３には、撮影データベース１０４が接続されている。撮影管理サーバ１０３は、撮影データベース１０４に格納される情報を管理する。撮影データベース１０４には、モデルに関するモデル情報、商品に関する商品情報、撮影日、モデル及び撮影画像の画像評価等からなる撮影情報、撮影担当者等によるモデルに対する評価情報（以下、「満足度情報」と称する）が登録されている。撮影管理サーバ１０３は、クライアント装置１０１又は移動端末１０５からの要求に応じて、撮影データベース１０４に格納されたデータに対して集計又は解析の処理を行い、その結果を、要求を行った端末装置に送信する。撮影画像自体は、撮影管理サーバ１０３のファイルシステム（図示せず）に格納される。
【００２１】
図２は、撮影データベース１０４に登録されたモデル、商品、撮影、及びモデル満足度に関する各情報を格納するための各テーブルの実施例を示している。図２の実施例では、（ａ）モデル情報テーブル２０１、（ｂ）商品情報テーブル２０４、（ｃ）撮影情報テーブル２１１、及び、（ｄ）満足度情報テーブル２１６から構成されている。これらのテーブルは、共通するデータ項目により互いにリンクしている。
【００２２】
図２（ａ）のモデル情報テーブル２０１には、各モデルの識別情報とモデル個人情報とからなるモデル情報が格納されている。データ項目として、識別情報である「モデルＩＤ」２０２と、モデル個人情報である「氏名」２０３とを有する。例えば、モデル事務所などから新規にモデルが追加登録された場合、一人のモデル毎に１レコードに、「氏名」２０３としてモデルの氏名"日立  太郎"が格納され、「モデルＩＤ」２０２として固有の管理番号である"0001"が自動発番で格納される。
【００２３】
図２（ｂ）の商品情報テーブル２０４には、各商品の識別情報と複数の商品特徴情報とからなる商品情報が格納されている。データ項目として、識別情報である「商品ＩＤ」２０５と、商品特徴情報である「カテゴリ」２０６、「季節」２０７、「文化」２０８、「年齢層」２０９及び「性別」２１０を有する。商品特徴情報としては、顧客から撮影する商品の情報を提示された場合、１商品毎に１レコードに例えば、「カテゴリ」２０６として商品のジャンルを示す"衣服"が格納され、「季節」２０７として商品を使用する季節を示す"夏"が格納され、「年齢層」２０９として商品を利用する人の年齢層を示す"３０〜５０"が格納され、「性別」２１０として商品を利用する人の性別を示す"女"が格納され、「商品ＩＤ」２０５として固有の管理番号である"0001"が自動発番で格納される。
【００２４】
図２（ｃ）の撮影情報テーブル２１１には、各撮影の識別情報と複数の撮影詳細情報とからなる撮影情報が格納されている。データ項目として、識別情報である「撮影ＩＤ」２１２と、撮影詳細情報である「商品ＩＤ」２０５、「モデルＩＤ」２０２、「撮影日」２１３、「画像評価」２１４及び「画像ファイル名」２１５を有する。例えば、１回の撮影毎に１レコードに、「撮影ＩＤ」２１２として固有の管理番号である"0001"が自動発番で格納され、撮影対象である商品を示す「商品ＩＤ」として図２（ｂ）のテーブルの「商品ＩＤ」２０５に相当する"0001"が格納され、撮影対象であるモデルを示す「モデルＩＤ」として図２（ａ）のテーブルの「モデルＩＤ」２０２に相当する"0001"が格納される。さらに例えば、撮影された日を示す「撮影日」２１３として"2010/3/2"が格納され、撮影画像自体の良し悪しを５段階の数値により示す「画像評価」２１４として"２"が格納され、保存された撮影画像のファイル名を示す「画像ファイル名」２１５として"000001.jpeg"が格納される。
【００２５】
図２（ｄ）の満足度情報テーブル２１６には、各モデルについてモデル評価が行われる毎に登録される満足度情報が格納されている。データ項目として、「モデルＩＤ」２０２、「撮影ＩＤ」２１２、「商品ＩＤ」２０５、「評価カテゴリ」２１７、「評価日」２１８、「評価」２１９及び「評価内容」２２０を有する。例えば、商品の撮影後に撮影担当者によって満足度情報が登録されたとき、１レコードに、撮影したモデルを示す「モデルＩＤ」として図２（ａ）のテーブルの「モデルＩＤ」２０２に相当する"0001"が格納され、どの撮影かを示す「撮影ＩＤ」として図２（ｃ）のテーブルの「撮影ＩＤ」２１２に相当する"0001"が格納され、撮影した商品を示す「商品ＩＤ」として図２（ｂ）のテーブルの「商品ＩＤ」２０５に相当する"0001"が格納される。具体的なモデル評価情報としては、例えば、「評価カテゴリ」２１７として評価の区分を示す"顧客意見"が格納され、「評価日」２１８としてこの評価を登録した日を示す"2010/4/22"が格納され、モデルの良し悪しを５段階の数値により示す「評価」２１９として"５"が格納され、モデルに対する詳細な評価内容を示す「評価内容」２２０として"お客様より信頼感があるとの言葉を頂いた。"が格納される。
【００２６】
図３〜図６は、本システムにおける各処理フローを示すシーケンス図である。以下では、図１及び図２中の符号も参照しつつ説明する。
図３は、モデル情報を登録する処理フローを示すシーケンス図３０１である。例えばモデル事務所からモデルの紹介を受けた際に、クライアント装置１０１を用いて本システムにモデル情報を登録する。まず、システム管理者３０２は、モデル事務所から受領した、モデル情報を記載したモデルプロフィールを基に、撮影業務管理アプリケーション１０２上の入力部１１４でモデル個人情報（モデル氏名を含む）を入力する（ステップ３０３)。モデル個人情報を取得した撮影業務管理アプリケーション１０２は、撮影管理サーバ１０３経由で、撮影データベース１０４のモデル情報テーブル２０１の新規レコードに、自動発番した「モデルＩＤ」２０２と「モデル氏名」２０３を登録する（ステップ３０４）。
【００２７】
ここで、「撮影管理サーバ１０３経由で」とは、端末装置から撮影管理サーバ１０３に情報を送信し、撮影管理サーバ１０３が受信した情報により撮影データベース１０４を更新する、すなわち所定のテーブルに情報を格納することを意味する（以下においても同様）。
【００２８】
図４は、撮影情報及び満足度情報を登録する処理フローを示すシーケンス図３０５である。例えば撮影業務担当者３０６が撮影業務（モデルの選定３１０、撮影３１４、撮影評価３１９)を実施する過程で、クライアント装置１０１又は移動端末１０５を用いて、本システムに撮影画像と併せて撮影情報を登録するとともに、モデルのリコメンドのための情報源となる満足度情報を登録する。
【００２９】
図４ではまず、撮影業務担当者３０６は、撮影依頼者より受領した、撮影する商品の一覧情報が記載された商品撮影指示書を基に、撮影業務管理アプリケーション１０２上における入力部１１４で商品情報と、撮影情報の一部（この時点で入力可能な情報のみ）を入力する（ステップ３０７）。商品情報を取得した撮影業務管理アプリケーション１０２は、撮影管理サーバ１０３経由で撮影データベース１０４の商品情報テーブル２０４の新規レコードに、自動発番した「商品ＩＤ」２０５、「カテゴリ」２０６、「季節」２０７、「文化」２０８、「年齢層」２０９、「性別」２１０を登録する（ステップ３０８）。また同時に、撮影情報テーブル２１１の新規レコードに、自動発番した「撮影ＩＤ」２１２、「商品ＩＤ」２０５を登録する（ステップ３０９）。
【００３０】
なお、各テーブルへの登録後、自動発番された「モデルＩＤ」２０２、「商品ＩＤ」２０５、「撮影ＩＤ」２１２は、登録情報を入力した端末装置に送信され表示される。このようにして、入力を行った者にこれらのＩＤを通知することにより、その後、端末装置から撮影管理サーバ１０３に種々の要求を行う際に、これらのＩＤにより要求内容を特定することができる。
【００３１】
次に、撮影業務担当者３０６は、移動端末１０５のモデル管理アプリケーション１０６上のモデル選定処理部１１３により商品撮影のためのモデルの選定を実施する（ステップ３１０）。なお、ここでのモデル選定は、本システムを利用しない選定として図示している。本システムは、このような従来のモデル選定の蓄積データを基に利用開始されることを前提としている。本システムの利用開始後は、当然、本システムを利用したモデル選定も蓄積データに含まれることになる。続いて、モデル選定結果を基に、モデル管理アプリケーション１０６上の入力部１０８でモデル選定結果を入力する（ステップ３１１）。
【００３２】
モデル選定結果を取得したモデル管理アプリケーション１０６は、撮影管理サーバ１０３経由で、撮影データベース１０４の撮影情報テーブル２１１の該当する「撮影ＩＤ」２１２に紐付くレコードの「モデルＩＤ」２０２を登録する（ステップ３１２）。また同時に、満足度情報テーブル２１６の新規レコードに、「モデルＩＤ」２０２、「撮影ＩＤ」２１２及び「商品ＩＤ」２０５を登録するとともに、「評価カテゴリ」２１７、「評価日」２１８及び「評価内容」２２０を登録する（ステップ３１３）。ここでの評価内容とは、撮影前に感じた顧客目線のモデルに対する評価である。このような評価は、撮影時や撮影評価時にはなかなか出て来ない可能性が高く、モデル選定に有効な情報となる。
【００３３】
次に、撮影担当者は商品の撮影を実施する（ステップ３１４）。撮影後、モデル管理アプリケーション１０６上における入力部１０８で、撮影画像と撮影情報の一部を入力する（ステップ３１５）。撮影情報の一部を取得したモデル管理アプリケーション１０６は、撮影管理サーバ１０３経由で、撮影データベース１０４の撮影情報テーブル２１１の該当する「撮影ＩＤ」２１２に紐付くレコードの「撮影日」２１３及び「画像ファイル名」２１５を登録する（ステップ３１６）。また、撮影管理サーバ１０３に撮影画像を送信し、撮影管理サーバ１０３上のファイルシステム内に撮影画像を格納する（ステップ３１７）。
【００３４】
さらに、満足度情報テーブル２１６の「モデルＩＤ」２０２、「撮影ＩＤ」２１２、「商品ＩＤ」２０５、「評価カテゴリ」２１７、「評価日」２１８、「評価」２１９、「評価内容」２２０を登録する（ステップ３１８）。次に、撮影業務担当者３０６は撮影画像の評価を行う（ステップ３１９）。この撮影画像の評価を基に、モデル管理アプリケーション１０６における入力部１０８で撮影評価を入力する（ステップ３２０）。撮影評価を取得したモデル管理アプリケーション１０６は撮影管理サーバ１０３経由で、撮影データベース１０４の撮影情報テーブル２１１の該当する「撮影ＩＤ」２１２に紐付くレコードの「画像評価」２１４を登録する（ステップ３２１）。また同時に、満足度情報テーブル２１６の新規レコードに「モデルＩＤ」２０２、「撮影ＩＤ」２１２、「商品ＩＤ」２０５、「評価カテゴリ」２１７、「評価日」２１８、「評価」２１９、「評価内容」２２０を登録する（ステップ３２２）。
【００３５】
図５は、モデルをリコメンドする処理フローを示すシーケンス図３２３である。例えばモデル選定担当者３２４が、所定の撮影を行うに先立って、登録された全てのモデルの中から適切なモデルを選定するために本システム上でリコメンドを行う。まず、モデル選定担当者３２４は、モデル管理アプリケーション１０６における入力部１０８でモデル選定の対象とする「撮影ＩＤ」２１２を一つ入力する（ステップ３２５）。対象の「撮影ＩＤ」２１２を取得したモデル管理アプリケーション１０６は、撮影管理サーバ１０３に対して対象の「撮影ＩＤ」２１２をパラメータとしてモデルのリコメンド情報の要求を行う（ステップ３２６）。
【００３６】
撮影管理サーバ１０３は、撮影データベース１０４の撮影情報テーブル２１１における、取得した対象の「撮影ＩＤ」２１２に紐づくレコードの「商品ＩＤ」２０５を取得する。次に、満足度情報テーブル２１６に基づき、モデル情報テーブル２０１に登録されている全てのモデルの各々について、取得した「商品ＩＤ」２０５に紐づく評価ポイントを算出する(ステップ３２７)。評価ポイントの算出フローは、図７の、モデル評価ポイント取得処理のフローチャート４０１にて後述する。
【００３７】
各モデルの評価ポイントを算出した後、撮影管理サーバ１０３は、全てのモデルの中から評価ポイントが上位の１又は複数のモデルの「モデルＩＤ」を抽出し、モデル情報テーブル２０１から、抽出した上位のモデルの「モデルＩＤ」２０２に紐づく「氏名」２０３を取得する。また、撮影情報テーブル２１１から、抽出した上位のモデルの「モデルＩＤ」２０２に紐づく全てのレコードの「画像評価」２１４及び「画像ファイル名」２１５を取得する。さらに、取得した「画像ファイル名」２１５に基づいて、撮影管理サーバ１０３のファイルシステムから対応する撮影画像を取得する。続いて、モデル管理アプリケーション１０６に対しリコメンド情報として、評価ポイントが上位のモデルの「氏名」２０３、「画像評価」２１４及び撮影画像を、算出した評価ポイントとともに送信する（ステップ３２８）。リコメンド情報を取得したモデル管理アプリケーション１０６は、図１１で後述する画面例に従い、リコメンドされたモデル情報を表示部１０７に表示する（ステップ３２９）。
【００３８】
図６は、特定の対象モデルの評価とその撮影履歴情報を表示する処理フローを示すシーケンス図３３０である。例えばモデル選定担当者３２４が、所定の撮影を行うに先立って、登録されている特定の対象モデルが適切か否かを判断するために本システム上でその対象モデルの評価を表示する。まず、モデル選定担当者３２４は入力部１０８において、モデル管理アプリケーション１０６における入力部１０８で、対象モデルの評価を行いたい対象の「撮影ＩＤ」２１２と、評価を表示したい対象モデルの「モデルＩＤ」２０２を入力する（ステップ３３１）。対象の「撮影ＩＤ」２１２と「モデルＩＤ」２０２を取得したモデル管理アプリケーション１０６は、撮影管理サーバ１０３に対して対象の「撮影ＩＤ」２１２と「モデルＩＤ」２０２をパラメータとしてモデルの評価情報を要求する（ステップ３３２）。
【００３９】
対象の「撮影ＩＤ」２１２と「モデルＩＤ」２０２を取得した撮影管理サーバ１０３は、撮影データベース１０４の撮影情報テーブル２１１の該当する「撮影ＩＤ」２１２に紐づくレコードの「商品ＩＤ」２０５を取得する。これは、対象商品の「商品ＩＤ」２０５である。次に、満足度情報テーブル２１６に基づき、取得した「商品ＩＤ」２０５及び対象の「モデルＩＤ」２０２に紐づく対象モデルの評価ポイントを算出する(ステップ３３３)。評価ポイントの算出フローは、図７の、モデル評価ポイント取得処理のフローチャート４０１にて後述する。
【００４０】
次に、撮影管理サーバ１０３は、撮影データベース１０４の商品情報テーブル２０４を基に、取得した「商品ＩＤ」２０５に紐づく対象商品に対する類似商品であってかつ対象モデルの「モデルＩＤ」２０２に紐づくモデルの、モデル撮影履歴情報を取得する（ステップ３３４）。類似商品を求める処理フローは、図８の類似商品を求める処理のフローチャート４０５にて後述する。また、モデル撮影履歴情報の取得フローは、図９の、類似商品モデル撮影履歴情報の取得処理のフローチャート４１２にて後述する。評価ポイントと類似商品のモデル撮影履歴情報を取得した後、撮影管理サーバ１０３はモデル管理アプリケーション１０６に対して評価ポイントと、類似商品のモデル撮影履歴情報とを送信する（ステップ３３５）。評価ポイントと、類似商品のモデル撮影履歴情報とを取得したモデル管理アプリケーション１０６は、図１２に示す画面例（後述）に従い、モデルの評価を表示部１０７に表示する（ステップ３３６）。
【００４１】
図７は、図５のモデルをリコメンドするシーケンス図３２３又は図６の対象モデルの評価と撮影履歴情報を表示するシーケンス図３３０において撮影管理サーバ１０３が実施する、モデルの評価ポイントを取得する処理（ステップ３２７又はステップ３３３）のフローチャート４０１である。この処理において撮影管理サーバ１０３は、撮影データベース１０４上のデータを集計及び解析する。
【００４２】
図７では、図５のシーケンス図３２３におけるステップ３２７の場合について説明する。
まず、撮影管理サーバ１０３は、モデル管理アプリケーション１０６から取得した「撮影ＩＤ」に紐づく「商品ＩＤ」を撮影情報テーブル２１１から取得し、評価ポイント算出対象となる商品を特定するとともに、評価ポイント算出対象となるモデルの「モデルＩＤ」２０２を取得する(ステップ４０２)。次に、満足度情報テーブル２１６から、取得した「商品ＩＤ」２０５及び「モデルＩＤ」２０２に紐づいたレコードを全て抽出する（ステップ４０３）。そして、抽出したレコードについて、数値で示された「評価」２１９の和を求め、その和の値をレコード数で割って平均値を算出する。この平均値を、評価ポイント対象の商品についての、当該モデルの評価ポイントとする（ステップ４０４）。これを各モデルについて繰り返し、全てのモデルについての評価ポイントを算出する。
【００４３】
なお、図６のシーケンス図３３０のステップ３３３の場合も、「商品ＩＤ」及び対象モデルの「モデルＩＤ」について同様の処理を行う。
【００４４】
図８は、図６の対象モデルの評価と撮影履歴情報を表示するシーケンス図３３０において撮影管理サーバ１０３が実施する、類似商品を求める処理（ステップ３３４の一部）のフローチャート４０５である。この処理において撮影管理サーバ１０３は、撮影データベース１０４上のデータを解析する。
【００４５】
まず、撮影管理サーバ１０３は、モデル管理アプリケーション１０６から、類似商品を求める対象となる商品(「対象商品」と呼ぶ)の「商品ＩＤ」２０５を取得する。次に、商品情報テーブル２０４に登録されている全ての商品に対して、以降に示す、その商品(「候補商品」と呼ぶ)が類似商品か否かを判定する処理を実施する（ループ４０７）。まず、商品情報テーブル２０４から対象商品の「カテゴリ」２０６、「季節」２０７、「文化」２０８、「年齢層」２０９、「性別」２１０を取得する（ステップ４０８）。次に、商品情報テーブル２０４から商品を一つ抽出し、それを候補商品とする（ステップ４０９）。さらに、商品情報テーブル２０４から候補商品の「カテゴリ」２０６、「季節」２０７、「文化」２０８、「年齢層」２０９、「性別」２１０を取得する（ステップ４１０）。そして、対象商品と候補商品の「カテゴリ」２０６、「季節」２０７、「文化」２０８、「年齢層」２０９、「性別」２１０の項目値が幾つ一致するかを調べ、３つ以上一致していれば類似商品とみなし、類似商品の「商品ＩＤ」を取得する（ステップ４１１）。このように、対象商品の複数の商品特徴情報と、候補商品の複数の商品特徴情報とが、所定の項目数以上一致するか否かを判断し、所定の項目数以上一致する場合、その候補商品ＩＤを、対象商品についての類似商品の商品ＩＤとして判定する。
【００４６】
図９は、図６の対象モデルの評価と撮影履歴情報を表示するシーケンス図３３０において撮影管理サーバ１０３が実施する、類似商品のモデル撮影履歴情報の取得処理（ステップ３３４）のフローチャート４１２である。この処理において撮影管理サーバ１０３は、撮影データベース１０４上のデータを解析する。
【００４７】
まず、撮影管理サーバ１０３は、モデル管理アプリケーション１０６から、類似商品を求める対象となる対象商品の「商品ＩＤ」２０５と、撮影履歴情報を取得する対象モデルの「モデルＩＤ」２０２を取得する（ステップ４１３）。次に、上述の図８の、類似商品を求める処理のフローチャート４０５に従って、対象商品の「商品ＩＤ」２０５に紐づく商品の類似商品の「商品ＩＤ」を取得する（ステップ４１４）。そして、取得した全ての類似商品について、以降に示す処理を実行する（ループ４１５）。まず、満足度情報テーブル２１６から、類似商品の「商品ＩＤ」における対象モデルの「モデルＩＤ」２０２に紐づくレコードの「撮影ＩＤ」２１２、「評価カテゴリ」２１７、「評価日」２１８、「評価」２１９、「評価内容」２２０を取得する（ステップ４１６）。次に、撮影情報テーブル２１１から該当する「撮影ＩＤ」２１２に紐付くレコードの「画像ファイル名」２１５を取得し、撮影管理サーバ１０３のファイルシステムに格納された該当する撮影画像を取得する（ステップ４１７）。そして、「撮影ＩＤ」２１２毎に撮影画像、「評価カテゴリ」２１７、「評価日」２１８、「評価」２１９、「評価内容」２２０をモデル撮影履歴情報とする（ステップ４１８）。
【００４８】
図１０は、図４のモデルの撮影情報及び満足度情報を登録する処理フローを示すシーケンス図３０５における、撮影評価の入力（ステップ３２０）において、撮影業務管理アプリケーション１０２又はモデル管理アプリケーション１０６上で満足度情報を入力する画面の具体例を説明する図である。
【００４９】
担当者はまず、評価カテゴリ選択部品５０１により、登録しようとしている評価内容がどのようなジャンルについての評価かをカテゴリ名で選択する。例えば、メイクに関する評価であれば「メイク」、商品のイメージに合う、合わないといった評価であれば「商品イメージ」といった、具体的な内容に沿ったカテゴリ名を選択する。次に、担当者は評価選択部品５０２により、登録しようとしている評価が良い評価なのか悪い評価なのかを表す値を選択する。例えば、値は１から５の整数から選ばれ、"５"が非常に良い、"４"が良い、"３"がまあまあ良い、"２"が悪い、"１"が非常に悪い、という意味を持つ。次に、担当者は、評価内容入力部品５０３に具体的な評価内容を示す文章を入力する。例えば、「メイクののりが悪かった」、「撮影日に遅刻した」といった具体的な評価内容を入力する。そして、登録ボタン５０４を押下すると、入力された内容を確定する。そして、図４のモデルの撮影情報と満足度情報を登録するシーケンス図３０５に従い、本システムに満足度情報を登録する。
【００５０】
一般的に、商品や人物、企業などある項目の評価をするためのベースとなる情報を収集する手法として、一つの質問に対して５段階評価で回答するアンケートベースの手法が存在する。しかし、モデルの撮影のような業務の場合、カメラマンやスタイリストなどの感性や感覚が重視される。そのため、５段階評価のみのアンケートでは定量的すぎ、その評価に至るまでに感じた感性や感覚が表現されない。本システムでは、５段階評価に加えて具体的かつ詳細な評価内容をシステムに登録し、モデルのリコメンド時に評価の詳細内容を閲覧できるようにすることで、感性や感覚を重視したモデルの評価を参照することができる。
【００５１】
図１１は、本システムによってリコメンドされたモデルを表示する画面の具体例を説明する図である。モデル管理アプリケーション１０６は、撮影管理サーバ１０３からリコメンドされたモデル毎のリコメンド情報（氏名２０３、画像評価２１４、撮影画像）を受信したとき、画面上にモデル撮影画像６０１と評価ポイント６０２を表示する。このとき、モデル毎の撮影画像６０１は、評価ポイント６０２の順位に従って放射状に表示する。「放射状」とは、評価ポイント６０２が高いモデルをより画面の中心に配置することを意味する。モデル選定担当者は評価ポイントの近い複数のモデルを比較対象にしがちであるため、このように表示することで、評価ポイントの近いモデルの画像がより近くで表示されるため、評価ポイント６０２の近い複数のモデルの画像を比較しやすくなる。
【００５２】
また、画面に表示しきれないモデルは、モデル選定担当者による画面を指で上下左右にスライドする操作にあわせ、上下左右にスクロールさせることで表示を切り替える。モデル選定担当者は、画面上の撮影画像６０１を指で叩くことで、その撮影画像６０１を選択した状態にする。モデルを選択した状態でモデル評価ボタン６０３を押下すると、図１２に示す、そのモデルの評価と撮影履歴情報を表示する画面（後述）を表示する。また、モデルを選択した状態でズームボタン６０４を押下すると、選択された撮影画像６０１を現在のサイズより拡大して表示する。このとき、モデルは複数選択することが可能であり、複数モデルを選択した状態でズームボタン６０４を押下すると、選択された全ての撮影画像６０１を拡大して表示する。このように表示することで、評価ポイント６０２が近くないモデルの比較も可能となる。
【００５３】
図１２は、モデル選定担当者３２４が、図１１の画面で一人のモデルを選択し、モデル評価ボタン６０３を押下したときに表示する、モデルの評価と撮影履歴情報を表示する画面の具体例を説明する図である。図６のモデルの評価と撮影履歴情報を表示するシーケンス図３３０により、「撮影ＩＤ」２１２毎のモデル撮影履歴情報を取得したモデル管理アプリケーション１０６は、まず、モデル情報表示部７０１にモデルの「氏名」２０３と評価ポイントを表示する。また、モデル撮影画像表示部７０２に、「撮影ＩＤ」２１２に紐付いた撮影画像の中で、「評価」２１９が最も高いものを表示する。さらに、評価表示部７０３には、モデル撮影画像表示部７０２に表示している撮影画像の「撮影ＩＤ」２１２に紐付いた「評価内容」２２０を全て表示する。このとき、各「評価内容」２２０は吹出し７０４に一つ表示し、吹出し７０４の色と大きさは「評価」２１９の値に合わせて変えるようにする。具体的には、「評価」２１９の値が５であれば色は青で大きな吹き出し、「評価」２１９の値が４であれば色は青で中くらいの吹き出し、「評価」２１９の値が３であれば色は黄色で小さな吹き出し、「評価」２１９の値が２であれば色は赤で中くらいの吹き出し、「評価」２１９の値が１であれば色は赤で大きな吹き出しとする。
【００５４】
モデル選定担当者３２４が、モデル撮影画像表示部７０２を指で上にスライドする操作を行った場合、モデル撮影画像表示部７０２には、現在表示されている撮影画像より、「評価」２１９の値が一つ下である撮影画像を表示する。また同時に、評価表示部に、モデル撮影画像表示部７０２に表示している撮影画像の「撮影ＩＤ」２１２に紐付いた「評価内容」２２０を全て表示する。逆に、モデル選定担当者３２４が、モデル撮影画像表示部７０２を指で下にスライドする操作を行った場合、「評価」２１９の値が一つ上である撮影画像を表示する。また同時に、評価表示部に、モデル撮影画像表示部７０２に表示している撮影画像の「撮影ＩＤ」２１２に紐付いた「評価内容」２２０を全て表示する。
【００５５】
モデル選定担当者にとっては、評価ポイントによりモデルをリコメンドしてくれるのはありがたいが、評価ポイントの根拠を感覚的に知りたいというニーズがある。図１２のように、撮影画像とそれを撮影する上で登録された評価内容を同時に参照するようにすることで、評価ポイントの根拠をより理解しやすくすることが可能である。また、「評価内容」２２０は、「評価」２１９の値に合わせて色と大きさを変えた吹き出しで表示することで、文章よりも見た目で感じ取るようなモデル選定担当者にとって、一見しただけで容易に撮影画像の評価が判別できるという利点が得られる。
【００５６】
以上のように、本発明による、モデル選定補助のための撮影管理システムによれば、次のような効果がある。
（１）モデルの選定のためのモデル管理アプリケーションを移動端末内に配置し、撮影管理サーバと移動端末との間を無線回線で通信するため、移動端末を撮影会社社内だけでなく依頼者の社内、さらには喫茶店など、無線回線の接続が可能な場所であれば、パーソナルコンピュータなど持ち運びに不便な端末を利用することなく容易に参照することができる。なお、上記実施例では、撮影管理サーバと移動端末とを無線回線で接続する例を上げて説明したが、有線回線で接続されるものであっても同様に適用できることは言うまでもない。
【００５７】
（２）モデルの選定、撮影、撮影評価時に、モデルの５段階評価とその詳細な評価内容をシステムに登録し、モデルのリコメンド時に詳細な評価内容を閲覧できるようにすることで、感性や感覚を重視したモデルの評価を参照することができる。
【００５８】
（３）商品情報テーブル内に商品を特徴付ける情報を複数格納し、その情報から、特定の商品の特徴と商品情報テーブル内の特徴との適合性を評価して類似商品を探すことにより、あるモデルが過去に撮影した商品であり、かつ指定した商品と類似する商品を検索して表示することで、モデル選定担当者にモデル選定時の参考となる撮影画像を表示することができる。
【００５９】
（４）リコメンドされたモデルを一覧表示する際、評価ポイントが高いモデルを中心に、放射状に撮影画像を配置し、評価ポイントの近いモデルの画像をより近くで表示することで、評価ポイントの近い複数のモデルを比較対象にしがちなモデル選定担当者に、評価ポイントの近い複数のモデルの画像を比較しやすくなる。
【００６０】
（５）モデルの撮影画像とその撮影の過程で登録した評価を同画面で表示し、かつ評価内容の良し悪し、重要度を吹き出しの色と大きさで表現することで、モデル選定担当者が一見しただけで容易に撮影画像の評価が判別できるようになる。
【符号の説明】
【００６１】
１０１…クライアント装置、１０２…撮影業務管理アプリケーション、１０３…撮影管理サーバ、１０４…撮影データベース、１０５…移動端末、１０６…モデル管理アプリケーション、１０７…表示部、１０８…入力部、１０９…ネットワーク、１１０…基地局、１１１・・・送受信部、１１２・・・モデル評価登録処理部、１１３・・・モデル選定処理部、１１４・・・入力部、２０１…モデル情報テーブル、２０２…モデルＩＤ、２０３…氏名、２０４…商品情報テーブル、２０５…商品ＩＤ、２０６…カテゴリ、２０７…季節、２０８…文化、２０９…年齢層、２１０…性別、２１１…撮影情報テーブル、２１２…撮影ＩＤ、２１３…撮影日、２１４…画像評価、２１５…画像ファイル名、２１６…満足度情報テーブル、２１７…評価カテゴリ、２１８…評価日、２１９…評価、２２０…評価内容、３０１…モデル情報を登録するシーケンス図、３０２…システム管理者、３０３…モデル情報の入力、３０４…モデル情報の登録、３０５…モデルの撮影情報と撮影満足度情報を登録するシーケンス図、３０６…撮影業務担当者、３０７…撮影情報の入力、３０８…商品情報の登録、３０９…撮影情報の登録、３１０…モデルの選定、３１１…モデル選定結果の入力、３１２…撮影モデルの登録、３１３…満足度情報の登録、３１４…撮影、３１５…撮影結果の入力、３１６…撮影結果の登録、３１７…撮影画像の送信、３１８…満足度情報の登録、３１９…撮影評価、３２０…撮影評価の入力、３２１…画像評価の登録、３２２…満足度情報の登録、３２３…モデルをリコメンドするシーケンス図、３２４…モデル選定担当者、３２５…モデル選定対象商品の入力、３２６…リコメンド情報の要求、３２７…全モデルの評価ポイント算出、３２８…リコメンド情報の送信、３２９…リコメンド情報の表示、３３０…対象モデルの評価と撮影履歴情報を表示するシーケンス図、３３１…評価表示対象モデルの入力、３３２…モデル評価の要求、３３３…対象モデルの評価ポイント算出、３３４…撮影商品に対する類似商品のモデル撮影履歴情報の取得、３３５…評価ポイントと類似商品のモデル撮影履歴情報の送信、３３６…評価ポイントと類似商品のモデル撮影履歴情報を表示、４０１…モデル評価ポイント取得処理のフローチャート図、４０２…商品ＩＤ・モデルＩＤ取得、４０３…満足度情報テーブルから評価情報レコード取得、４０４…評価の和をレコード件数で割った値を評価ポイントとする、４０５…類似商品を求める処理のフローチャート図、４０６…商品ＩＤを取得、４０７…全ての商品に対して実行、４０８…対象商品の情報取得、４０９…候補商品の設定、４１０…候補商品の情報取得、４１１…対象商品と候補商品の類似性評価、４１２…類似商品モデル撮影画像の取得処理フローチャート図、４１３…商品ＩＤ・モデルＩＤを取得、４１４…商品の類似商品を取得、４１５…全ての類似商品に対して実行、４１６…類似商品かつ指定モデルの撮影ＩＤ・評価カテゴリ・評価日・評価・評価内容を取得、４１７…取得した撮影ＩＤに紐付く撮影画像を取得、４１８…モデル撮影履歴情報の作成、５０１…評価カテゴリ選択部品、５０２…評価選択部品、５０３…評価内容入力部品、５０４…評価登録ボタン、６０１…撮影画像、６０２…評価ポイント、６０３…モデル評価ボタン、６０４…ズームボタン、７０１…モデル情報表示部、７０２…モデル撮影画像表示部、７０３…評価表示部、７０４…吹出し
【図１】
2012198840.tif 000003
【図２】
2012198840.tif 000004
【図３】
2012198840.tif 000005
【図４】
2012198840.tif 000006
【図５】
2012198840.tif 000007
【図６】
2012198840.tif 000008
【図７】
2012198840.tif 000009
【図８】
2012198840.tif 000010
【図９】
2012198840.tif 000011
【図１０】
2012198840.tif 000012
【図１１】
2012198840.tif 000013
【図１２】
2012198840.tif 000014